(57)【要約】【課題】特に偽造および盗用による複製を確実に回避して、信頼性および安全性を高めるとともに、より低コストに実施できる偽造防止情報担体およびその読み取り方法を提供することが求められていた。【解決手段】基材の表面の一部領域もしくは全域、および裏面の一部領域もしくは全域に、画像が形成されてなり、表面より裏面の画像の一部もしくは全部が確認可能であることを特徴とする偽造防止情報担体と、撮影角度の異なる２台もしくはそれ以上の数のイメージセンサにて、偽造防止担体の表面の一部領域もしくは全域、および裏面の一部領域もしくは全域を表面から読み取り、各イメージセンサの画像を用いて認証を行うことを特徴とする偽造防止情報担体の認証方法を提供する。【選択図】    図１
2005193584.tif 000002
【特許請求の範囲】
【請求項１】
基材の表面の一部領域もしくは全域、および裏面の一部領域もしくは全域に、画像が形成されてなり、該表面より該裏面の画像の一部もしくは全部が確認可能であることを特徴とする偽造防止情報担体。
【請求項２】
前記表面の画像と前記裏面の画像の一方もしくは両方が、線画もしくは点画もしくは線画と点画の組合せで形成されていることを特徴とする請求項１記載の偽造防止情報担体。
【請求項３】
前記表面の画像と前記裏面の画像の一方もしくは両方が、赤外線吸収材料と赤外線透過材料の組合せで形成されていることを特徴とする請求項１または２のいずれかに記載の偽造防止情報担体。
【請求項４】
撮影角度の異なる２台もしくはそれ以上の数のイメージセンサにて、前記請求項１乃至３のいずれかに記載の偽造防止担体の表面の一部領域もしくは全域、および裏面の一部領域もしくは全域を表面から読み取り、各イメージセンサの画像を用いて認証を行うことを特徴とする偽造防止情報担体の認証方法。
【請求項５】
撮影角度の異なる２台もしくはそれ以上の数のイメージセンサのうち、１台のイメージセンサは赤外領域のみを読み取ることを特徴とする請求項４記載の偽造防止情報担体の認証方法。
【発明の詳細な説明】
【技術分野】
【０００１】
本発明は、クレジットカード、キャッシュカード、会員カード等カード類の偽造防止やブランド商品等の認証を必要とする商品に付加することができ、複写機やスキャナによる偽造を効果的に防止することが出来るとともに安価に製造することが出来るようにした偽造防止カード、認証用タグなどの偽造防止情報担体およびその認証方法に関するものである。
【背景技術】
【０００２】
一般に、認証情報を磁気的に書き込む磁気カードやデータメモリ機能を有するＩＣカードは、偽造あるいは認証情報が盗用されるおそれがあることより、偽造あるいは盗用を確実に回避できる認証方式およびシステムの実用化が社会的に要求されている。
【０００３】
従来、偽造あるいは盗用の回避を目的とした認証用タグとして、データキャリアが知られている。このデータキャリアは、使用者固有の認識情報としての認識情報部が付与されたデータキャリアであって、認識情報部を基体となる単色の熱可塑性樹脂のペレットおよびアットランダムに配列される金属粉を押出機により同時成形したものである（例えば、特許文献１参照）。
【０００４】
しかしながら、このような従来のデータキャリアはアットランダムな金属粉を用いることから偽造および複製は困難であるものの、ランダム模様を構成する金属粉が直接読み取られるため、例えばコピー機による識別情報のコピー等に対し、確実に回避出来ないおそれがある。
【０００５】
特許文献は以下の通り。
【特許文献１】特開平１０−４４６５０号公報
【発明の開示】
【発明が解決しようとする課題】
【０００６】
上述の問題点に鑑みなされた本発明は、このような従来の要請に応えたものであり、特に偽造および盗用による複製を確実に回避して、信頼性および安全性を高めるとともに、より低コストに実施できる偽造防止情報担体およびその読み取り方法の提供を目的とする。
【課題を解決するための手段】
【０００７】
上記課題を達成するためになされた請求項１に記載の発明は、基材の表面の一部領域もしくは全域、および裏面の一部領域もしくは全域に、画像が形成されてなり、該表面より該裏面の画像の一部もしくは全部が確認可能であることを特徴とする偽造防止情報担体を提供するものである。
【０００８】
請求項２に記載の発明は、前記表面の画像と前記裏面の画像の一方もしくは両方が、線画もしくは点画もしくは線画と点画の組合せで形成されていることを特徴とする請求項１記載の偽造防止情報担体を提供するものである。
【０００９】
請求項３に記載の発明は、前記表面の画像と前記裏面の画像の一方もしくは両方が、赤外線吸収材料と赤外線透過材料の組合せで形成されていることを特徴とする請求項１または２のいずれかに記載の偽造防止情報担体を提供するものである。
【００１０】
請求項４に記載の発明は、撮影角度の異なる２台もしくはそれ以上の数のイメージセンサにて、前記請求項１乃至３のいずれかに記載の偽造防止担体の表面の一部領域もしくは全域、および裏面の一部領域もしくは全域を表面から読み取り、各イメージセンサの画像を用いて認証を行うことを特徴とする偽造防止情報担体の認証方法を提供するものである。
【００１１】
請求項５に記載の発明は、撮影角度の異なる２台もしくはそれ以上の数のイメージセンサのうち、１台のイメージセンサは赤外領域のみを読み取ることを特徴とする請求項４記載の偽造防止情報担体の認証方法を提供するものである。
【発明の効果】
【００１２】
本発明の偽造防止情報担体は、基材の表裏に線画もしくは点画などの画像をお互いの一部などが視認できる様に形成されたもので、撮影角度が異なる少なくとも２台のイメージセンサにて前記透明等部分の表裏に設けられた画像を読み取り、前記イメージセンサの画像より真偽判定を行う。
【００１３】
この構成の偽造防止カードおよび認証用タグなどの偽造防止担体は、従来の偽造カードの製造方法のように、磁気カードもしくはＩＣカードのように磁気データもしくはＩＣのメモリデータを盗用し、このデータをあらかじめ大量に作製した磁気カードもしくはＩＣカードにデータを書き込み偽造カードを作製する方法では偽造カードなどが作製できないことより、偽造防止効果、特にデータの盗用に対して非常に効果的である。
【００１４】
さらに、画像の一部を赤外線を透過する材料にて形成し、読み取り時に２台のイメージセンサのうち１台を赤外線画像を読み取れるようにすることで、より一層偽造防止効果が高まる。
【００１５】
本発明によれば、イメージセンサーの読み取り角度や読み取り方向などを把握しなければ偽造は困難であるばかりか、表裏の位置合わせや間隔等も十分配慮しなければ偽造できず、偽造効果が高いものである。
【発明を実施するための最良の形態】
【００１６】
以下、図面を用いて情報担体がカードである場合を代表例として本発明の実施の形態を説明する。もちろん、情報担体がカード以外である場合も種々変形して応用することができることは当然である。
【００１７】
図１は本発明の偽造防止情報担体の一実施例を示す平面図であり、図２は図１の偽造防止情報担体のＸ−Ｘ線における断面図である。また、図３は図１の偽造防止カードの読み取り方法および真偽判定方法を示した概略図である。あらに、図４は本発明の偽造防止情報担体の一実施例を示す平面図であり、図５は図４の偽造防止情報担体のＸ−Ｘ線における断面図である。また、図６は図４の偽造防止カードの読み取り方法および真偽判定方法を示した概略図である。
【００１８】
図１および図２に示す偽造防止カード１は、透明基材１２、オーバーコート１３、１４からなり、透明基材１２の表面上に表面ランダムパターン１５、裏面に裏面ランダムパターン１６が設けられている。この表面ランダムパターン１５および裏面ランダムパターン１６は、偽造防止カード１の透明窓部１１に設けられており、偽造防止カード１の表面から裏面ランダムパターン１６の一部が見え、さらに偽造防止カード１を傾けると、表面ランダムパターン１５で隠れている裏面ランダムパターン１６の一部が見える構成となっている。
【００１９】
図４および図５に示す偽造防止カード３は、透明基材３２、オーバーコート３３、３４からなり、透明基材３２の表面上に表面ランダムパターン３５、裏面に裏面ランダムパターン３６および赤外線透過タイプの裏面ランダムパターン３７が設けられている。この表面ランダムパターン３５、裏面ランダムパターン３６および赤外線透過タイプの裏面ランダムパターン３７は、偽造防止カード３の透明窓部３１に設けられており、通常の状態では偽造防止カード３の表面から裏面ランダムパターン１６および赤外線透過タイプの裏面ランダムパターン３７の一部が見え、さらに偽造防止カード３を傾けると、表面ランダムパターン３５で隠れている裏面ランダムパターン３６および赤外線透過タイプの裏面ランダムパターン３７の一部が見える構成となっている。さらに、赤外線領域で偽造防止カード３を見ると、表面ランダムパターン３５および裏面ランダムパターン３７のみが確認できる。
【００２０】
図３は、図１の偽造防止カード１の読み取り方法を示す概略図で、偽造防止カード１の裏面から透明窓部１１に向けて光源２０を照射し、互いに撮影角度の異なるイメージセンサＡ１８およびイメージセンサＢ１９にそれぞれ透明窓部１１から投影された画像を取り込む。真偽判定はデータ処理部３０にて行い、イメージセンサＡで撮影した画像２２およびイメージセンサＢで撮影した画像２３を合成２４して暗号化およびコード化２５を行い、データベース２６にあらかじめ記録されているコードと一致するかどうか真偽判定２７を行い、一致した場合次の処理２８を行い、一致しない場合排除２９を行う。
【００２１】
図６は、図４の偽造防止カード３の読み取り方法を示す概略図で、偽造防止カード３の裏面から透明窓部３１に向けて光源４０を照射し、互いに撮影角度の異なるイメージセンサＡ３８およびイメージセンサＢ３９にそれぞれ透明窓部３１から投影された画像を取り込む。ただし、イメージセンサＢ３９の画像はかしこーカットフィルタ４１を通して投影された画像４３であることより赤外線透過タイプの裏面ランダムパターン３７はイメージセンサＢ３９の投影画像には映し出されない。真偽判定はデータ処理部５０にて行い、イメージセンサＡで撮影した画像４２およびイメージセンサＢで撮影した画像４３を合成４４して暗号化およびコード化４５を行い、データベース４６にあらかじめ記録されているコードと一致するかどうか真偽判定４７を行い、一致した場合次の処理４８を行い、一致しない場合排除４９を行う。
【００２２】
図１および図４の偽造防止カード１、３はカードの形状を変えることで認証用タグとしても使用できる（図示はしない）。
【００２３】
透明基材１２、３２は、０．０５〜１．０ｍｍの範囲の透明シートであれば特に限定するものではないが、例えばカード等の如く切断やエンボス加工性を考慮すると、プラスチックシートが好適で、上記カードの場合は、０．５ｍｍ程度の透明プラスチックで、塩化ビニル（ＰＶＣ）、ポリエチレンテレフタレート（ＰＥＴ）、ポリエチレン（ＰＥ）、ポリプロピレン（ＰＰ）、ポリスチレン（ＰＳ）あるいはＡＢＳのシートなどが挙げられ、特にエンボス適性等から塩化ビニルが多くしようされ、近年では焼却における環境問題等から非晶性のＰＥＴ等を含め前記の樹脂を工夫して使用するようになってきている。
【００２４】
表面ランダムパターン１５、３５および裏面ランダムパターン１６、３６および赤外線透過タイプの裏面ランダムパターン３７は例えばオフセットインキ、グラビアインキ、スクリーンインキ等を用い、それぞれの印刷法で設ける。特に表面ランダムパターン３５および裏面ランダムパターン３６に使用するインキの色素は、赤外線を吸収する顔料もしくは染料にて構成され、赤外線透過タイプの裏面ランダムパターン３７は、赤外線を透過する顔料もしくは染料にて構成されている。
【００２５】
また、表面ランダムパターン３５および裏面ランダムパターン３６に使用するインキの色素として、可視光領域において光を透過し赤外線にて光を吸収する顔料もしくは染料を使用することが可能である。
【００２６】
この様に、本発明の基材は、確認領域で透明か、少なくとも画像確認可能な程度に透明であればよく、確認領域以外では透明である必要性はない。また、確認領域でも完全に透明である必要はなく、着色透明や半透明であっても、表面から裏面の画像を確認できる程度透明であれば十分である。
【００２７】
画像は、ランダム画像が偽造防止効果が高く好ましいが、意味のある画像等であっても構わない、また、画像は白黒などの線画や点画などの２値データで効果は十分と思われるが、必要により階調画像やカラー画像であっても構わないが、この場合は認証方法が複雑になる。
【００２８】
なお、本発明で認証する情報は、担体自体の真偽であっても、担体上で表示している情報や、ＩＣや磁気などの様に内蔵している情報の真偽であっても構わない。
【００２９】
さらに、認証は複数のイメージセンサーの画像の画像合成の他、イメージセンサーの画像を予め記憶している画像と比較するもののほか、複数のイメージセンサーの画像の差分をとるなどの画像処理によって得られるなど、各種のイメージセンサーの画像を利用した認証方法を用いることが可能である。
【００３０】
従って、データベースもコード化して保持しているものの他、画像として保持しているもの、その各種暗号化手段を用いているもの、などの各種データベースを用いることが可能であり、データベース自体を使用しない認証方法を用いることも可能である。
【００３１】
また、複数のイメージセンサーの画像を取り込む方法としては、複数のイメージセンサーを用いる方法の他、一つのイメージセンサーの角度を変化させる、ミラー処理を行う、角度の代わりに取り込み方向を変えるなど各種の方法を用いることが可能である。また、イメージセンサーもＣＣＤカメラなどの他、光学カメラなどイメージとして画像を取り入れることのできる各種イメージセンサーを用いることが可能である。
【００３２】
本発明を、情報担体がカードである場合を代表例として説明してきた本発明の実施の形態に対応する具体的な実施例を挙げて代表として詳細に説明する。従って、規格や情報担体、もしくは有する情報の種類等により変形実施可能なことは当然である。
【実施例１】
【００３３】
０．５４ｍｍ厚の透明塩ビ基材の表裏にランダムパターン線画をプロセス墨インキを用いてオフセット印刷法にて印刷した。同時に絵柄をオフセット印刷法にて印刷し、次に０．１ｍｍ厚の透明塩ビ製オーバーシートを透明塩ビ基材の表裏に重ね、カード表面に磁気ストライプテープを貼り、熱プレス法によりラミネートを行い、カードの大きさに抜き偽造防止カードを得た。
【００３４】
上記偽造防止カードをスキャナーで読み込み、偽造カードを作製を作製したが、図３に示す読み取り装置にて判定を行ったところ、真券のコードと一致しないため、偽造カードと判定された。
【実施例２】
【００３５】
０．５４ｍｍ厚の透明塩ビ基材の表裏にランダムパターン線画をプロセス墨インキを用いてオフセット印刷法にて印刷し、さらに赤外線透過タイプの黒インキを用いて裏面にラ
ンダムパターン線画をオフセット印刷法にて印刷した。同時に絵柄をオフセット印刷法にて印刷し、次に０．１ｍｍ厚の透明塩ビ製オーバーシートを透明塩ビ基材の表裏に重ね、カード表面に磁気ストライプテープを貼り、熱プレス法によりラミネートを行い、カードの大きさに抜き偽造防止カードを得た。
【００３６】
上記偽造防止カードをスキャナーで読み込み、偽造カードを作製を作製したが、図６に示す読み取り装置にて判定を行ったところ、真券のコードと一致しないため、偽造カードと判定された。
【産業上の利用可能性】
【００３７】
本発明は、銀行カード、テレフォンカード、クレジットカード、プリペイドカード、セキュリティ用ロックカード（カードキー）、マイクロ・コンピュータ用プログラムカード、ＩＣカード、定期券、認識票、証明書、パスポートなどの偽造防止手段が必要な各種データキャリアである情報担体への応用が挙げられる。
【図面の簡単な説明】
【００３８】
【図１】本発明の偽造防止カードの一実施例を示す平面図。
【図２】図１の偽造防止カードのＸ−Ｘ線における断面図。
【図３】図１の偽造防止カードの読み取り方法を示す概略図。
【図４】本発明の偽造防止カードの一実施例を示す平面図。
【図５】図４の偽造防止シールのＹ−Ｙ線における断面図。
【図６】図４の偽造防止カードの読み取り方法を示す概略図。
【符号の説明】
【００３９】
１、３      偽造防止カード
１１、３１  透明窓部
１２、３２  透明基材
１３、３３  オーバーコート
１４、３４  オーバーコート
１５、３５  表面ランダムパターン
１６、３６  裏面ランダムパターン
３７    赤外線透過タイプの裏面ランダムパターン
１８、３８  イメージセンサＡ
１９、３９  イメージセンサＢ
２０、４０  光源
４１    可視光カットフィルタ
２２、４２  イメージセンサＡで撮影した画像
２３、４３  イメージセンサＢで撮影した画像
３０、５０  データ処理部
【図１】
2005193584.tif 000003
【図２】
2005193584.tif 000004
【図３】
2005193584.tif 000005
【図４】
2005193584.tif 000006
【図５】
2005193584.tif 000007
【図６】
2005193584.tif 000008